(57)【要約】【課題】使用者の腕に装着すると同時に、腕時計用バンドが使用者の腕の湾曲にあった形状になり、使用者の身体に常にフィットとし、且つ、使用者の腕の湾曲にあった形状に保たれ、装着するときに腕から落ちにくい腕時計用バンドを提供する。【解決手段】腕時計ケースの一端側に一端部が取り付けられる可撓性を有する第１のバンド部と、前記腕時計ケースの他端側に一端部が取り付けられ前記第１のバンド部の他端部に他端部が連結される可撓性を有する第２のバンド部（７）とを有する腕時計用バンドであり、前記第１及び第２のバンド部には、屈曲性を有するとともに屈曲させた状態の形を保持する性質を有する長尺の形状保持材が、前記第１及び第２のバンド部の長手方向に沿って埋め込まれている。【選択図】    図１
2008136723.tif 000002
【特許請求の範囲】
【請求項１】
腕時計ケース（３）の一端側に一端部が取り付けられる可撓性を有する第１のバンド部（５）と、前記腕時計ケースの他端側に一端部が取り付けられ前記第１のバンド部（５）の他端部に他端部が連結される可撓性を有する第２のバンド部（７）とを有する腕時計用バンドにおいて、
前記第１及び第２のバンド部（５、７）には、屈曲性を有するとともに屈曲させた状態の形を保持する性質を有する長尺の形状保持材（１５）が、前記第１及び第２のバンド部（５、７）の長手方向に沿って埋め込まれていることを特徴とする腕時計用バンド。
【請求項２】
前記形状保持材（１５）は、前記第１及び第２のバンド部（５、７）を使用者の腕部に巻きつけたときに、使用者の腕部の両側部に沿うように配置されていることを特徴とする請求項１に記載の腕時計用バンド。
【請求項３】
前記第１及び第２のバンド部（５、７）には、棒状の前記形状保持材（１５）が複数本並行して配置されていることを特徴とする請求項１又は２に記載の腕時計用バンド。
【請求項４】
腕時計ケース（１０３）の一端側に一端部が取り付けられる第１のバンド部（１０５）と、前記腕時計ケース（１０３）の他端側に一端部が取り付けられる第２のバンド部（１０７）と、前記第１及び第２のバンド部（１０５、１０７）の他端部同士を連結する連結部（１０８、１０９）とを有する腕時計用バンドにおいて、
前記第１及び第２のバンド部（１０５、１０７）は貫通孔（１１１）が形成されたコマ（１１３）と前記コマ（１１３）の貫通孔（１１１）に挿通され前記コマ（１１３）を複数個連結する糸状の形状保持材（１１５）より構成され、該形状保持材（１１５）は屈曲性を有するとともに屈曲させた状態の形を保持する性質を有することを特徴とする腕時計用バンド。
【発明の詳細な説明】
【技術分野】
【０００１】
本発明は、腕時計用バンドに関する。
【背景技術】
【０００２】
腕時計用バンドは、一般的には、金属製、皮革製、合成樹脂製などが使われている。金属製のバンドは、金属製のコマをピンやバネなどを用いて連結した構成と成っている。また、皮革製バンドは、動物の皮を使ったものである。さらにまた、合成樹脂製は、合成樹脂で皮革などに似せて作ったものである。
これらの腕時計用バンドの端を時計ケースにバネ棒で取り付けて使用している。
【特許文献１】特許第２８１９３９９号
【特許文献２】実公平７−４１３６７号
【特許文献３】実用新案登録第３０３８２５３号
【発明の開示】
【発明が解決しようとする課題】
【０００３】
解決しようとする問題点は、上述したような各種バンドでは、腕の両側部（腕の親指側の側部及び小指側の側部）に赤くバンド跡がつくという問題があった。
従来の腕時計用バンドは腕の形になじむのに時間がかかるためにバンド跡が腕に強くつくと考えられる。
【０００４】
一方、あらかじめ略Ｃ字型に形状固定された形状記憶合金の心材が埋め込まれた腕時計バンドが提案されている。
【特許文献４】特開平１１-２３９５０６号しかし、形状記憶合金はばね性を有するので、腕時計を使用する者の腕を常に圧迫することになる。また使用者の腕になじむ形状となるまでには時間がかかるので、バンド跡が腕につき時計も浮き上がったようになる。
【課題を解決するための手段】
【０００５】
腕時計ケースの一端側に一端部が取り付けられる可撓性を有する第１のバンド部と、前記腕時計ケースの他端側に一端部が取り付けられ前記第１のバンド部の他端部に他端部が連結される可撓性を有する第２のバンド部とを有する腕時計用バンドであり、前記第１及び第２のバンド部には、屈曲性を有するとともに屈曲させた状態の形を保持する性質を有する長尺の形状保持材が、前記第１及び第２のバンド部の長手方向に沿って埋め込まれている。
前記形状保持材は、前記第１及び第２のバンド部を使用者の腕部に巻きつけたときに、使用者の腕部の両側部に沿うように配置する。
前記第１及び第２のバンド部には、棒状の前記形状保持材を複数本並行して配置する。
また、腕時計ケースの一端側に一端部が取り付けられる第１のバンド部と、前記腕時計ケースの他端側に一端部が取り付けられる第２のバンド部と、前記第１及び第２のバンド部の他端部同士を連結する連結部とを有する腕時計用バンドであり、前記第１及び第２のバンド部は貫通孔が形成されたコマと前記コマの貫通孔に挿通され前記コマを複数個連結する糸状の形状保持材より構成され、該形状保持材は屈曲性を有するとともに屈曲させた状態の形を保持する性質を有する。
【発明の効果】
【０００６】
本発明の腕時計用バンドによると、屈曲性を有するとともに屈曲させた状態の形を保持する性質を有する長尺の形状保持材が第１及び第２のバンド部に埋め込まれ、或いは、屈曲性を有するとともに屈曲させた状態の形を保持する性質を有する糸状の形状保持材で複数のコマを連結して第１及び第２のバンド部が形成されているので、腕時計用バンドを使用者の腕に装着すると、装着と同時に、腕時計用バンドは使用者の腕の湾曲にあった形状になる。従って、本発明の腕時計用バンドを装着すると、使用者の腕全体を腕時計用バンドが締めるようになるので、フィット感が増し、バンド跡もつきにくくなる。
【０００７】
また、使用者の腕の湾曲にあった形状に保たれるので、腕時計用バンドを装着するときに腕から落ちにくい。
【発明を実施するための最良の形態】
【０００８】
本発明者は、従来技術とその問題点を詳細に検討した結果、以下の経緯により本発明を完成するに至った。
【実施例１】
【０００９】
＜腕時計用バンド１＞
【００１０】
図１は、本発明の実施例１に係る腕時計用バンド１を示す斜視図であり、図２は腕時計用バンド１を示す側面図である。
腕時計用バンド１は、腕時計ケース３の一端側に一端部が取り付けられる第１のバンド部５と前記腕時計ケース３の他端側に一端部が取り付けられ前記第１のバンド部５の他端部に他端部が連結される第２のバンド部７より構成されている。
【００１１】
第１のバンド部５は、皮革製、合成樹脂製等の可撓性を有する材料で帯状に形成されており、表革９と裏革１１とが接着材、縫い合わせにより張り合わせることにより形成されている。この第１のバンド部５には複数の孔１３が長手方向に沿って形成されている。
【００１２】
そして、表革９と裏革１１との間には、棒状の形状保持材１５が複数本並行に埋め込まれている。また、形状保持材１５は腕時計用バンド１を装着した時に、使用者の腕部の両側部の一方側に沿うように配置されて第１のバンド部５に埋め込まれている。
【００１３】
第２のバンド部７は、皮革製、合成樹脂製等の可撓性を有する材料で帯状に形成されており、表革１７と裏革１９とが接着材、縫い合わせにより張り合わせることにより形成されている。この第２のバンド部７の先端には環状の支持枠２１の一辺２３が取り付けられており、この一辺２３に係合ピン２５の基部が回動自在に保持されている。第１のバンド部５及び第２のバンド部７は、第１のバンド部５の所望の孔１３に係合ピン２５を係合させることにより連結される。
また、複数の孔１３の内、係合ピン２５を係合させる孔１３を選ぶことにより、腕時計用バンド１の長さを調節できる。
【００１４】
また、第２のバンド部７の表革１７と裏革１９との間にも、棒状の前記形状保持材１５が複数本並行に埋め込まれている。また、第２のバンド部７の形状保持材１５は腕時計用バンド１を装着した時に、使用者の腕部の両側部の他方側に沿うように配置されて第２のバンド部７に埋め込まれている。
＜形状保持材１５＞
【００１５】
前記形状保持材１５は、三井化学株式会社が開発したもので「テクノロート」として販売されている。該形状保持材１５は、「樹脂で作った針金」と言われており、金属の針金のように容易に変形させることができ、変形させた形状を保持することができる。
形状保持材１５は、上記のような性質を有するので、腕時計用バンド１を使用者の腕に装着すると、装着と同時に、腕時計用バンド１は使用者の腕の湾曲にあった形状になる。従って、本発明の腕時計用バンド１を装着すると、使用者の腕全体を腕時計用バンドが締めるようになるので、フィット感が増し、バンド跡もつきにくくなる。
【実施例２】
【００１６】
＜腕時計用バンド１００＞
【００１７】
図３は、本発明の実施例２に係る腕時計用バンド１００を示す平面図である。
腕時計用バンド１００は、腕時計ケース１０３の一端側に一端部が取り付けられる第１のバンド部１０５と前記腕時計ケースの他端側に一端部が取り付けられる第２のバンド部１０７と第１及び第２のバンド部１０５、１０７の他端部同士を連結する連結部とで構成され、本例において、連結部は、第１のバンド部１０５の他端部に連結された第１の連結部１０８と前記第２のバンド部１０７の他端部に連結された第２の連結部１０９より構成されている。
第１、第２のバンド部１０５、１０７は、２つの貫通孔１１１が形成された略長方体形のコマ１１３を図３のように配置し、それらの貫通孔１１１に糸状の形状保持材１１５を挿通して、該形状保持材１１５の端を結ぶことにより形成される。前記長方形のコマ１１３とは、同一出願人の特開２００５−４０３７５号で説明されているコマである。
【特許文献５】特開２００５−４０３７５号
【００１８】
形状保持材１１５は、実施例１の形状保持材１５と同様に、三井化学株式会社が開発したものでテクノロートとして販売されている形状保持材を用いている。
【００１９】
第1のバンド部１０５は、４個のコマ１１３を形状保持材１１５で連結して構成されており、４個並べられたコマ１１３の一端側には取付具１１７が配置され、他端側には第１の連結部１０８が配置され、第１の連結部１０８の基部１０８a及びコマ１３の貫通孔１３１に挿通された形状保持材１１５が取付具１１７の孔１２１に通されて取付具１１７の開口部（図示せず）で結ぶなどして、前記４個のコマ１１３と取付具１１７及び第１の連結部１０８を一体化している。
【００２０】
また、第２のバンド部１０７は、５個のコマ１１３を形状保持材１１５で連結して構成されており、５個並べられたコマ１１３の一端側には取付具１１７が配置され、他端側には第２の連結部１０９が配置され、第２の連結部１０９の基部１０９a及びコマ１１３の貫通孔１１１に挿通された形状保持材１１５が取付具１１７の孔１２１に通されて取付具１１７の開口部（図示せず）で結ぶなどして、前記５個のコマ１１３と取付具１１７及び第２の連結部１０９を一体化している。
本例の腕時計用バンド１００では、腕時計を腕の甲側に装着した際に、第1のバンド部１０5が腕の親指側の側部に位置し、第２のバンド部１０７が腕の子指側の側部に位置することを想定しており、第1のバンド部１０５を４個のコマ１１３で構成し、第２のバンド部１０７を、５個のコマ１１３で構成している。このように親指側の側部に位置するバンド部を腕の子指側の側部に位置するバンド部よりも短くすると、腕の形状とバンド部の長さとが適合するので、腕時計の装着性は良好となる。
また、前記形状保持材１１５は、屈曲性を有するとともに屈曲させた状態の形を保持する性質を有するので、腕時計用バンド１００を使用者の腕に装着すると、装着と同時に、腕時計用バンド１００は使用者の腕の湾曲にあった形状になる。従って、本発明の腕時計用バンド１００を装着すると、使用者の腕全体を腕時計用バンドが締めるようになるので、フィット感が増し、バンド跡もつきにくくなる。
【００２１】
第1、第２のバンド部１０５、１０7は、夫々に連結された取付具１１７の貫通孔(図示せず)にバネ棒１２５が挿通され、バネ棒１２５を介して腕時計ケース３の両端に取り付けられる。
＜トルマリン石＞
【００２２】
略長方体形のコマ１１３は、トルマリン石で作る。
その効能については、各種の文献で発表されている。人の肌にふれても、アレルギー症状を呈さない利点がある。
トルマリン石は、電気を発生させることから、電気石とも呼称され、常温においてマイナスイオン、中間赤外線あるいは微弱電流を発生するなどである（実用新案登録公報３０８７２２９号）。
【特許文献６】実用新案登録第３０８７２２９号他にも、トルマリンの効能並びにその応用については、実用新案登録３０２８７３８号、同３０３６６７７号、同３０８６０３３号に述べられている。
【特許文献７】実用新案登録第３０２８７３８号
【特許文献８】実用新案登録第３０３６６７７号
【特許文献９】実用新案登録第３０８６０３３号尚、前記取付具１１７は、トルマリン石を使用してもよいし、貴石、貴金属、象牙などを使用することも可能である。
【００２３】
第１の連結部１０８は皮革製または合成樹脂製の材料で帯状に形成されており、貫通孔が形成された基部１０８a側に前記形状保持部材１１５が挿通されて第1のバンド部１０５の他端部と連結されている。また、第１の連結部１０８には複数の孔１２９が長手方向に沿って形成されている。
第２の連結部１０９は皮革製または合成樹脂製の材料で帯状に形成された帯状部１３１の基部１０９a側に貫通孔が形成されており、この貫通孔に前記形状保持部材１１５が挿通されて第２のバンド部１０７の他端部と連結されている。また、帯状部１３１の先端部１０９bには環状の支持枠１３５の一辺１３７が取り付けられており、この一辺１３７に係合ピン１３９の基部が回動自在に保持されている。また、帯状部１３１の中途には前記第１の連結部１０８を挿入するためのベルト１３９が設けられている。
第１の連結部１０８及び第２の連結部１０９は、第１の連結部１０８を環状の支持枠１３５に挿通し、所望の孔１２９に係合ピン１３９が係合させることにより連結される。
また、複数の孔１２９の内、係合ピン１３９を係合させる孔１２９を選ぶことにより、腕時計用バンド１００の長さを調節できる。
【図面の簡単な説明】
【００２４】
【図１】本発明の実施例１に係る腕時計用バンドを示す斜視図である。
【図２】本発明の実施例１に係る腕時計用バンドを示す側面図である。
【図３】本発明の実施例２に係る腕時計用バンドを示す平面図である。
【符号の説明】
【００２５】
１、１００  腕時計用バンド
３、１０３  腕時計ケース
５、１０５  第１のバンド部
７、１０７  第２のバンド部
１５、１１５  形状保持材
１０８、１０９  連結部
１１１  貫通孔
１１３  コマ
【図１】
2008136723.tif 000003
【図２】
2008136723.tif 000004
【図３】
2008136723.tif 000005